(57)【要約】【課題】  文字板の背後から照明されることで光輝する意匠の擬似点灯を防止しつつ、少ない光源で文字板の広範囲の意匠を明るく光輝させる表示装置を提供する。【解決手段】  第１の光源６１から出射された光を導光する導光部１１と、第１の光源６１から出射された光を透過して出射する第１の光透過出射部１２２ａと、導光部１１を両面から挟んで設けられる導光部１１よりも光の屈折率が低い低屈折率部１４ａ、１４ｂと、を備えた導光文字板１０において、第１の光源６１と第１の光透過出射部１２２ａとを結ぶ直線上で、かつ、第１の光透過出射部１２２ａを中心として、第１の光源６１の反対側に屈曲部１１２を設けたものである。【選択図】  図３
2015049103.tif 000002
【特許請求の範囲】
【請求項１】
第１の光源から出射された光を導光する導光部と、前記第１の光源から出射された光を透過して出射する第１の光透過出射部と、前記導光部を両面から挟んで設けられる前記導光部よりも光の屈折率が低い低屈折率部と、を備えた表示部材において、前記第１の光源と前記第１の光透過出射部とを結ぶ直線上で、かつ、前記第１の光透過出射部を中心として、前記第１の光源の反対側に屈曲部を設けたことを特徴とする表示部材。
【請求項２】
前記屈曲部は少なくとも１つ以上の平面部を備え、前記第１の光透過出射部を備えた前記導光部の面と前記屈曲部の平面部とのなす角度φが、前記導光部の屈折率をＮとし、前記低屈折率部の屈折率をｎとしたときに、φ＞１８０°−２arcsin（ｎ／Ｎ）を満たすことを特徴とする請求項１に記載の表示部材。
【請求項３】
前記屈曲部に曲面部を設け、前記第１の光透過出射部を備えた前記導光部の面と前記曲面部との境界の接線と、前記曲面部の曲率が変化する境界の接線との角度φが、前記導光部の屈折率をＮとし、前記低屈折率部の屈折率をｎとしたときに、φ＞１８０°−２arcsin（ｎ／Ｎ）を満たすことを特徴とする請求項１に記載の表示部材。
【請求項４】
前記屈曲部は、前記第１の光透過出射部側に突出したことを特徴とする請求項１から３のいずれかに記載の表示部材。
【請求項５】
前記屈曲部は、前記第１の光透過出射部側とは反対側に突出したことを特徴とする請求項１から３のいずれかに記載の表示部材。
【請求項６】
第１の光源から出射された光を導光する導光部と、前記第１の光源から出射された光を透過して出射する第１の光透過出射部と、第２の光源から出射されて前記導光部の裏面側から前記導光部を透過した光を透過して出射する第２の光透過出射部と、前記導光部を両面から挟んで設けられる前記導光部よりも光の屈折率が低い低屈折率部と、を備えた表示部材と、前記表示部材を支持するケース体とを備えた表示装置において、第１の光源６１と第１の光透過出射部１２２ａとを結ぶ直線上で、かつ、第１の光透過出射部１２２ａを中心として、第１の光源６１の反対側に屈曲部１１２を設けたことを特徴とする表示装置。
【請求項７】
前記屈曲部に少なくとも１つ以上の平面部を設け、前記第１の光透過出射部を備えた前記表示部材の面と前記屈曲部の平面部とのなす角度φが、前記導光部の屈折率をＮとし、前記低屈折率部の屈折率をｎとしたときに、φ＞１８０°−２arcsin（ｎ／Ｎ）を満たすことを特徴とする請求項６に記載の表示装置。
【請求項８】
前記屈曲部に曲面部を設け、前記第１の光透過出射部を備えた前記表示部材の面と前記曲面部との境界の接線と、前記曲面部の曲率が変化する境界の接線との角度φが、前記導光部の屈折率をＮとし、前記低屈折率部の屈折率をｎとしたときに、φ＞１８０°−２arcsin（ｎ／Ｎ）を満たすことを特徴とする請求項６に記載の表示装置。
【請求項９】
前記屈曲部は、前記第１の光透過出射部側に突出したことを特徴とする請求項６から８のいずれかに記載の表示装置。
【請求項１０】
前記屈曲部は、前記第１の光透過出射部側とは反対側に突出したことを特徴とする請求項６から８のいずれかに記載の表示装置。
【発明の詳細な説明】
【技術分野】
【０００１】
本発明は、光源から出射された光を導光して意匠表示部等を照光する表示部材と、この表示部材を備えた表示装置に関するものである。
【背景技術】
【０００２】
特許文献１に開示された表示装置は、光源から出射された光を導光して、この導光した光を意匠の形に形成された光を透過する光透過出射部から出射する導光機能を有した文字板を備えたものである。
【先行技術文献】
【特許文献】
【０００３】
【特許文献１】特開２０１１−２３７６９２号公報
【発明の概要】
【発明が解決しようとする課題】
【０００４】
従来の表示装置は、図１３に示すように、導光文字板１０００内を進行する光Ｍにより光輝する第１光透過出射部１０００ａと、導光文字板１０００の背面側に配設される第２の光源１１００の光により光輝する第２光透過出射部１０００ｂと、を備え、第２の光源１１００が光輝していなくても、導光文字板１０００内を透過する光Ｍにより、第２の光透過出射部１０００ｂが光輝して見えてしまう擬似点灯が発生するという虞があった。
【０００５】
そこで本発明は、前記問題点を解消し、光の透過を制御し、所望の意匠以外の擬似点灯を防止しつつ、少ない光源で文字板の意匠を明るく光輝させることが可能な表示部材と表示装置を提供することを目的とするものである。
【課題を解決するための手段】
【０００６】
本発明は、前述した課題を解決するため、第１の発明の表示部材は、第１の光源から出射された光を導光する導光部と、前記第１の光源から出射された光を透過して出射する第１の光透過出射部と、前記導光部を両面から挟んで設けられる前記導光部よりも光の屈折率が低い低屈折率部と、を備えた表示部材において、前記第１の光源と前記第１の光透過出射部とを結ぶ直線上で、かつ、前記第１の光透過出射部を中心として、前記第１の光源の反対側に屈曲部を設けたものである。
【０００７】
また、第２の発明の表示装置は、第１の光源から出射された光を導光する導光部と、前記第１の光源から出射された光を透過して出射する第１の光透過出射部と、第２の光源から出射されて前記導光部の裏面側から前記導光部を透過した光を透過して出射する第２の光透過出射部と、前記導光部を両面から挟んで設けられる前記導光部よりも光の屈折率が低い低屈折率部と、を備えた表示部材と、前記表示部材を支持するケース体とを備えた表示装置において、第１の光源６１と第１の光透過出射部１２２ａとを結ぶ直線上で、かつ、第１の光透過出射部１２２ａを中心として、第１の光源６１の反対側に屈曲部１１２を設けたものである。
【発明の効果】
【０００８】
本発明に係る表示装置によれば、光の透過を制御し、所望の意匠以外の擬似点灯を防止しつつ、少ない光源で文字板の意匠を明るく光輝させることが可能な表示部材と表示装置を提供することができる。
【図面の簡単な説明】
【０００９】
【図１】本発明の一実施形態における表示装置の正面図。
【図２】同実施形態におけるケース体の正面図。
【図３】図１中Ａ−Ａ’断面図。
【図４】同実施形態の導光文字板の断面図。
【図５】同実施形態の導光文字板とケース体の要部断面図。
【図６】同実施形態の導光体の説明図で、（ａ）は導光体の斜視図、（ｂ）は表示装置に組み込んだ際の導光体の断面図、（ｃ）は導光体の文字板方向反射部の形状を説明した図。
【図７】本発明の第２変形例を示した導光文字板とケース体の要部断面図。
【図８】本発明の第３変形例を示した導光文字板とケース体の要部断面図。
【図９】本発明の第４変形例を示した導光文字板とケース体の要部断面図。
【図１０】本発明の第５変形例を示した導光文字板とケース体の要部断面図。
【図１１】本発明の第６変形例を示した導光文字板とケース体の要部断面図。
【図１２】本発明の第７変形例を示した導光文字板とケース体の要部断面図。
【図１３】従来の表示装置の断面図。
【発明を実施するための形態】
【００１０】
以下に、本発明の表示装置１の一実施形態を説明する。本発明の表示装置１は、導光文字板１０と、ケース体２０と、導光体３０と、指針４０と、回路基板５０と、光源６１、６２と、本体７０と、表示器８０と、から構成され、車両側から出力される車速やエンジン回転数等の車両情報を示す車両信号に基づき、指針４０が回動するものであり、光源６１、６２の発する光により、導光文字板１０と指針４０が光輝するものである。なお、本実施形態では、図１の左側からエンジン回転計Ｔ、速度計Ｓ、燃料残量計Ｆを備えている。
【００１１】
（導光文字板）まず、本発明の表示装置１における導光文字板１０について、図１、図３、図４を用いて説明する。
【００１２】
導光文字板１０は、表示部材であり、透光性の導光部１１と、この導光部１１の表面と裏面に意匠を表示する意匠表示部１２と、光を拡散する光拡散部１３と、導光部１１の表面を覆う表面低屈折率部１４ａと、導光部１１の背面を覆う背面低屈折率部１４ｂと、保護部１５と、を備える。
【００１３】
導光文字板１０は、第１の光源６１から出た第１の光Ｌａを透過して出射することにより光輝する第１の光透過出射部１２２ａと、導光文字板１０の背面に配設される第２の光源６２から出た第２の光Ｌｂを透過して出射することにより照明されて光輝する第２の光透過出射部１２２ｂと、を備え、これらの光透過出射部１２２ａ、１２２ｂから光を出射することにより、意匠（文字、絵、図形、記号等）を視認者に対して表示する。そして、第１の光源６１に対して、第１の光透過出射部１２２ａは、第２の光透過出射部１２２ｂより第１の光源６１側に設けられている。
【００１４】
導光文字板１０は、円形の貫通孔で形成された指針軸挿通孔１１１と屈曲部１１２と、を備えている。
【００１５】
導光文字板１０においては、屈曲部１１２により区画された内側の領域を内側表示領域Ｅ１とし、指針軸挿通孔１１１から屈曲部１１２を隔てた第２の光透過出射部１２２ｂなどを有する領域を外側表示領域Ｅ２とする。屈曲部１１２は、指針軸挿通孔１１１を中心として各計器の全周を区画するものである。
【００１６】
導光部１１は、透明又は半透明の透光性（半透光性を含む）を有する合成樹脂製の部材（例えば、ポリカーボネート等で屈折率が１．５９）から形成される略平板状の部材である。導光部１１は、第１の光源６１から射出された光を導光するものであり、後述する指針軸７１を挿通し、指針４０の指針キャップ４３より径の小さい貫通孔である指針軸挿通孔１１１を有し、この指針軸挿通孔１１１の内壁である内壁入光部（入光部）１１１ａから第１の光源６１が出射する第１の光Ｌａを取り込み、この内壁入光部１１１ａを中心として放射状に第１の光Ｌａを伝達するものである。
【００１７】
意匠表示部１２は、導光部１１の表面と背面に、例えば、インク等を用いて、印刷、塗装等によって形成され、意匠（文字、絵、図形、記号等）を表示する表示層であり、非透光性（遮光性）の不透過部１２１と、光を透過して出射する光透過出射部１２２ａ、１２２ｂと、により構成される。
【００１８】
なお、本実施形態では、意匠表示部１２を形成する表示層は、表面側を２層構造としており、導光部１１から光の漏れを抑えている。
【００１９】
不透過部１２１は、第１の光透過出射部１２２ａ及び第２の光透過出射部１２２ｂ以外の塗りつぶされた領域であり、遮光性のインク等を用いて、印刷、塗装等によって形成される。
【００２０】
光透過出射部１２２ａ、１２２ｂは、不透過部１２１を除いた意匠の部分であり、抜き印刷等によって形成される。光透過出射部１２２ａ、１２２ｂは、上述したように、導光文字板１０内を進行する第１の光源６１が出射する第１の光Ｌａにより光輝する第１の光透過出射部１２２ａと、導光文字板１０の背面に配設される第２の光源６２が出射する第２の光Ｌｂに照明されて光輝する第２の光透過出射部１２２ｂと、からなり、これらの光透過出射部１２２ａ、１２２ｂから光を出射することにより、意匠（文字、絵、図形、記号等）を視認者に対して表示する。
【００２１】
第１の光透過出射部１２２ａは、光拡散部１３により拡散された第１の光Ｌａが出射する領域である。また、第１の光透過出射部１２２ａは、屈曲部１１２によって反射した第１の光Ｌａの反射光Ｌｄも出射する。
【００２２】
第２の光透過出射部１２２ｂは、導光文字板１０の背面に位置する第２の光源６２から出射される第２の光Ｌｂを透過するものであり、第２の光源６２から出射された第２の光Ｌｂが拡散や反射等されずに直接出射されるので、高輝度で表示でき、ユーザの目を引くことができる。
【００２３】
光拡散部１３は、光拡散性を有する材料を用いて、印刷、塗装等によって導光部１１の表面及び裏面に形成され、導光部１１が導光した第１の光Ｌａを拡散する。光拡散部１３は、第１の光透過出射部１２２ａに対応する位置に設けられる。なお、光拡散部１３は、導光部１１の表面と裏面とのうちの少なくとも一方に設けてもよい。
【００２４】
表面低屈折率部１４ａ及び背面低屈折率部１４ｂは、導光部１１を表面側と背面側の両面から挟んで、導光部１１の両面全体に亘って、その両面（適宜、光拡散部１３を含む）を覆うように設けられる。表面低屈折率部１４ａ及び背面低屈折率部１４ｂは、透明又は半透明の透光性（半透光性を含む）を有し、導光部１１よりも光の屈折率が低い合成樹脂（例えば、アクリルなどで、屈折率が１．４９）を用いて、印刷、塗装等によって形成される。
【００２５】
表面低屈折率部１４ａと導光部１１との界面、又は背面低屈折率部１４ｂと導光部１１との界面で、導光部１１によって導光された第１の光Ｌａは全反射する。全反射は、屈折率が大きい媒質（導光部１１）から小さい媒質（低屈折率部１４ａ，１４ｂ）に光が入射しようとするときに、入射しようとする光が界面を透過せず、その全て（略全てを適宜含む。）が反射する現象をいう。全反射は、光の入射角が、隣り合う媒質（ここでは導光部１１と、表面低屈折率部１４ａ及び背面低屈折率部１４ｂ）の各屈折率により決まる角度（臨界角）よりも大きい場合に起こる。導光部１１の側面から入射される光は、その殆どが、臨界角よりも大きい入射角で表面低屈折率部１４ａ又は背面低屈折率部１４ｂに到達するので、導光部１１と低屈折率部１４との界面に到達した光は、全反射する。また、空気は、導光部１１よりも屈折率が低いので低屈折率部１４を設けなくても導光部１１と空気との界面で、導光部１１によって導光された光は全反射するが、導光部１１の表面にちりなどの屈折率が導光部１１よりも高い物質が付着した場合、導光部１１が導光する第２の光Ｌｂが全反射せずに外部へ抜けてしまうおそれがあるので、低屈折率部１４を設けることが望ましい。
【００２６】
保護部１５は、表面側の意匠表示部１２上に、例えば、透明なインク等を用いて、印刷、塗装等によって形成されている。
【００２７】
導光文字板１０の光の入射から出射までを具体的に述べると、後述する導光体３０の文字板方向出射部３４から出射された第１の光Ｌａは、導光文字板１０の指針軸挿通孔１１１の内壁入光部（入光部）１１１ａに入射する。内壁入光部１１１ａに入射した第１の光Ｌａは、導光部１１と表面低屈折率部１４ａとの界面、又は導光部１１と背面低屈折率部１４ｂとの界面で全反射を繰り返し、導光部１１の内部を進む。導光部１１の内部を進む光の一部は、光拡散部１３に到達する。光拡散部１３に到達した第１の光Ｌａは、その光拡散部１３で拡散される。光拡散部１３によって拡散された第１の光Ｌａのうち、導光部１１の表面への入射角が臨界角よりも小さい光は、全反射せず、表面低屈折率部１４ａを介して意匠表示部１２の第１の光透過出射部１２２ａを透過する。これにより、意匠表示部１２は、第１の光透過出射部１２２ａ（例えば、各計器の意匠部分）から光が出射される。これによって、不透過部１２１は暗く見え、第１の光透過出射部１２２ａは光って見える。
【００２８】
屈曲部１１２は、第１の光源６１と第１の光透過出射部１２２ａとを結ぶ直線上で、かつ、第１の光透過出射部１２２ａを中心として、第１の光源６１の反対側に設けてある。本実施形態では、第１の光源６１を略中心として、放射状に設けた第１の光透過出射部１２２ａの外側に、第１の光透過出射部１２２ａを囲むように設けられている。また、図１中のエンジン回転計Ｔの場合は、屈曲部１１２の外側には、第２の光透過出射部１２２ｂが設けられている。この場合、屈曲部１１２は、第１の光透過出射部１２２ａと第２の光透過出射部１２２ａとの間に設けられている。また、速度計Ｓのエンジン回転計Ｔと隣り合う部分では、屈曲部１１２が、エンジン回転計Ｔの第１の光透過出射部１２２ａと速度計Ｓの第１の光透過出射部１２２ａとの間に設けられることとなる。
【００２９】
屈曲部１１２は、第１の光透過出射部１２２ａ側、すなわち、表面側に突出した形状である。屈曲部１１２は、二つの平面部１１３ａ、１１３ｂと屈曲部頂点１１４とを備えている。平面部１１３ａは、第１の光源６１側であり、平面部１１３ｂは、第１の光源６１とは反対側である。
【００３０】
平面部１１３ａと導光文字板１０の第１の光透過出射部１２２ａを備えた内側表示領域Ｅ１の面１０ａとでなす角度、すなわち、導光文字板１０を導光する第１の光Ｌａの進行方向に対する平面部１１３ａのなす角度φ１（また、平面部１１３ｂと導光文字板１０の第２の光透過出射部１２２ｂを備えた外側表示領域Ｅ２の面１０ｂとのなす角度、すなわち、導光文字板１０の平面部１１３ｂを導光する第１の光Ｌａの進行方向に対する面１０ａのなす角度φ３）、あるいは、屈曲部頂点１１４の角度（平面部１１３ａと平面部１１３ｂとのなす鋭角な角度、すなわち、導光文字板１０の平面部１１３ａを導光する第１の光Ｌａの進行方向に対する平面部１１３ｂのなす角度）φ２のうち少なくとも１つの角度φ１〜φ３が、導光部１１の屈折率をＮとし、低屈折率部１４ａ、１４ｂの屈折率をｎとしたときに、以下の式を満たすものである。
式：φ＞１８０°−２arcsin（ｎ／Ｎ）
【００３１】
例えば、導光部１１の材質が、ポリカーボネート（屈折率１．５９）、低屈折率部１４ａ、１４ｂの材質が、アクリル（屈折率１．４９）の場合、φ１〜φ３のうち少なくともひとつは、４０．８６°以上となる条件を満たすものである。
【００３２】
屈曲部１１２によって構成される角度φ１〜φ３の何れかが前記の条件を満たすと、導光部１１と、導光部１１より低い屈折率からなる低屈折率部１４ａ、１４ｂとによって、導光部１１と表面低屈折率部１４ａとの界面で、導光部１１から低屈折率部１４ａ、１４ｂに抜ける光が減衰する。さらに、低屈折率部１４ａ、１４ｂにて反射し、再度、導光部１１に入射する時に光が減衰する。この作用によって、前記の条件を満たす角度を備えた屈曲部１１２によって、光は、屈曲部１１２を抜けて内側表示領域Ｅ１側へいく光を抑制することができる。
【００３３】
（ケース体）図２、図３を用いてケース体２０を説明する。ケース体２０は、例えば白色の合成樹脂材料からなり、導光文字板１０と後述する回路基板５０との間に配設され、導光文字板１０を支持固定するものである。
【００３４】
ケース体２０は、図２に示すように、第１の光源６１及び導光体３０を区画する貫通孔からなる第１の仕切り部２１と、導光文字板１０を載置する載置部２２と、外側表示領域Ｅ２に配設される第２の光源６２を区画する貫通孔からなる第２の仕切り部２５と、液晶パネルなどの表示器８０を挿入する表示器装着孔２７と、第１の仕切り部２１のうち、導光文字板１０の第１の光透過出射部１２２ａがない方向に形成され、載置部２２より視認者側に突設した遮光壁２８と、を有するものである。
【００３５】
第１の仕切り部２１は、図３に示すように、貫通孔で形成され、第１の光源６１及び導光体３０を区画するものであり、第１の光源６１から発せられる第１の光Ｌａ及び導光体３０から漏れた光を反射するものである。
【００３６】
載置部２２は、導光文字板１０及び回路基板５０と略平行になるように形成され、導光文字板１０の背面と接触した状態で導光文字板１０を保持するものである。
【００３７】
第２の仕切り部２５は、導光文字板１０の外側表示領域Ｅ２に配設された第２の光透過出射部１２２ｂを照明する第２の光源６２を区画する貫通孔で形成されるものであり、第２の光源６２からの第２の光Ｌｂを導光文字板１０の方向へ反射するものである。
【００３８】
表示器装着孔２７は、液晶パネルなどの表示器８０を挿入する貫通孔で形成されるものである。
【００３９】
遮光壁２８は、第１の仕切り部２１のうち、導光文字板１０の第１の光透過出射部１２２ａが配設されない領域に載置部２２より視認者側に突設されるものであり、導光体３０の文字板方向出射部３４から導光文字板１０の内壁入光部１１１ａへ出射する第１の光Ｌａを遮断するものである。遮光壁２８は、第１の光Ｌａを導光体３０側へ反射するように反射部材で形成されることが望ましい。
【００４０】
遮光壁２８は、表示装置１の組み付けにより同様の位置に配設されるものであれば、ケース体２０とは異なる部材である、例えば、指針４０照明した際に発生するハレーションを防止するカラー部材（図示しない）により形成されてもよい。
【００４１】
（導光体）図６を用いて、導光体３０を説明する。導光体３０は、後述する第１の光源６１を収納する収納部３１と、第１の光源６１の光Ｌを、導光文字板１０の内壁入光部１１１ａの方向へ反射する文字板方向反射部３２、指針４０の方向へ光Ｌｅを出射する指針方向出射部３３と、導光文字板１０の内壁入光部１１１ａに第１の光Ｌａを出射する文字板方向出射部３４と、後述する指針軸７１が挿通する指針軸挿通部３５と、を備えるものであり、第１の光源６１の光Ｌを、導光文字板１０と、指針４０とに導くものである。また、本実施形態において、第１の光源６１から出射される光を、導光体３０によって導光文字板１０の方向へ導光される光を第１の光Ｌａ、同じく導光体３０によって指針４０の方向へ導光される光を光Ｌｅと表現している。
【００４２】
収納部３１は、第１の光源６１を覆う（所望の位置に収納する）ものであり、第１の光源６１から発せられる光Ｌを逃すことなく、より多くの光を導光体３０内に取り込む。
【００４３】
文字板方向反射部３２は、図６（ｂ）に示すように、導光体３０の中心Ｏを中心とする曲面状で形成され、収納部３１から入射した光を、第１の光Ｌａとして文字板方向出射部３４の方向へ反射する。本実施例においては、文字板方向反射部３２は、導光体３０の中心Ｏを中心とし、略全方向に設けられているが、光を反射させたい領域によって、適宜、文字板方向反射部３２を設ける領域を限定してもよい。
【００４４】
また、文字板方向反射部３２は、図６（ｃ）に示すように、円錐状や角錐面状（六角錐面，八角錐面等）に形成してもよい。
【００４５】
指針方向出射部３３は、文字板方向反射部３２のうち、導光体３０内を導光する第１の光Ｌａの文字板方向反射部３２に入射した際の角度が、臨界角以下であり、指針４０方向へ光Ｌｅが出射される箇所である。指針方向出射部３３から指針４０方向へ出射される光Ｌｅの量は、文字板方向反射部３２の形状により、適宜調節される。
【００４６】
文字板方向出射部３４は、導光文字板１０の指針軸挿通孔１１１の内壁に設けられた内壁入光部１１１ａの面に対し、略平行に配設され、文字板方向反射部３２の反射した第１の光Ｌａを内壁入光部１１１ａに向け、出射する箇所である。導光体３０の高さ方向である文字板方向出射部３４の厚さは、内壁入光部１１１ａの厚さと略同一となるように形成される。斯かる構成により、導光体３０から導光文字板１１への光の伝達の際の光漏れを抑制し、効率よく意匠を照明することができる。
【００４７】
指針軸挿通部３５は、後述する指針軸７１が挿通する部分であり、導光体１０の中心Ｏに貫通孔として設けられる。斯かる構成により、文字板方向出射部３４を略全方向へ設けることができ、光源６１からの光を、指針軸挿通孔３５を中心に導光文字板１０の略全方向に対し出射することができ、より広範囲の意匠を効率よく照明することができる。
【００４８】
また、指針軸挿通部３５は、導光体１０の中心Ｏを中心とするものではなく、導光体１０の中心Ｏからオフセットした位置に設けられてもいい。
【００４９】
指針４０は、図３に示すように、指示部４１と、指針基部４２と、指針キャップ４３とから構成されている。指示部４１は、導光文字板１０の指標を指示し、第１の光源６１からの光Ｌｅを受けて光輝する。指針基部４２は、駆動本体７０に設けられた指針軸７１に固定される。この指針基部４２は指示部２１と透明な樹脂で一体に形成されている。指針キャップ４３は、遮光性の合成樹脂からなり、指針基部４２を覆うように具備されている。
【００５０】
回路基板５０は、光源６１、６２や本体７０を実装し、表示装置１の電気的な制御を行うものである。
【００５１】
光源６１、６２は、回路基板５０に実装され、回路基板５０に対して垂直方向に光を照射するトップビュー型からなる。第１の光源６１は、導光体３０に光を出射する。第２の光源６２は、外側表示領域Ｅ２に配設され、導光文字板１０の背面から第２の光透過出射部１２２ｂを照明する。
【００５２】
本体７０は、回路基板５０に実装され、指針４０が装着される指針軸７１を備えている。指針軸７１は、導光文字板１０の指針軸挿通孔１１１の略中心に位置して貫通するとともに、その先端部分が導光文字板１０の表示面より上方に突出している。
【００５３】
以上の構成によって、光の透過を制御し、所望の意匠である第１の光透過出射部１２２ａ以外の屈曲部１１２で仕切られた第２の光透過出射部１２２ｂや他の第１の光透過出射部１２２ａの擬似点灯を防止しつつ、少ない光源で導光文字板１０の意匠を明るく光輝させることが可能となる。
【００５４】
また、屈曲部１１２を切れ目なく設けたことによって、屈曲部１１２のどの位置でも光の減衰が略均等になり、第１の光透過出射部１２２ａをより均一な輝度で光輝させることができる。
【００５５】
以下、本実施形態の表示装置１の変形例について、図７乃至１２を参照して説明する。なお、前記の技術的事項や下記の変形例における技術的事項は、適宜組み合わされても良い。
【００５６】
（第１変形例）第１変形例では、屈曲部２１２は、三つの曲面部２１３ａ、２１３ｂ、２１３ｃとを備えている。各曲面部２１３ａ〜２１３ｃは、それぞれ第１の光源６１側から、曲面部２１３ａ、曲面部２１３ｂ、曲面部２１３ｃであり、曲面部２１３ｃは、第１の光源６１とは反対側である。
【００５７】
第１の光透過出射部１２２ａを備えた内側表示領域Ｅ１の面１０ａと、曲面部２１３ａと曲面部２１３ｂの境界の接線２１４ａとの角度、すなわち、導光文字板１０を導光する第１の光Ｌａの進行方向に対する接線２１４ａのなす角度φ４（また、曲面部２１３ｂと曲面部２１３ｃの境界の接線２１４ｂと第２の光透過出射部１２２ｂを備えた外側表示領域Ｅ２の面１０ｂとのなす角度、すなわち、導光文字板１０の屈曲部２１２を導光する第１の光Ｌａの進行方向に対する面１０ｂのなす角度φ６）、あるいは、曲面部２１３ａと曲面部２１３ｂの境界の接線２１４ａと、曲面部２１３ｂと曲面部２１３ｃの境界の接線２１４ｂとでなす角度φ５のうち少なくとも１つの角度φ４〜φ６が、導光部１１の屈折率をＮとし、低屈折率部１４ａ、１４ｂの屈折率をｎとしたときに、以下の式を満たすものである。
式：φ＞１８０°−２arcsin（ｎ／Ｎ）
【００５８】
以上の構成によっても、前述した一実施形態と同様の作用効果を得ることができる。
【００５９】
（第２変形例）前記実施形態と第１変形例では、屈曲部１１２、２１２は、第１の光透過出射部１２２ａ側である表側に突出していたが、図８に示すように、屈曲部３１２は、第１の光透過出射部１２２ａ側とは反対側である裏面側に突出したものであってもよい。
【００６０】
（第３変形例）前述した一実施形態の屈曲部１１２のように、第１の光透過出射部１２２ａ側である表側に突出して形状において、図９で示すように、ケース体２０に屈曲部１１２内に入り込んだ突出壁２０ａを設けてもよい。この突出壁２０ａは、屈曲部１１２と同様に切れ目なく形成したほうが好ましい。この突出壁２０ａを設けたことによって、導光文字板１０から漏れた光が、導光文字板１０とケース体２０との間を伝搬することを抑制し、例えば、第２の光透過出射部１２２ｂの擬似点灯などをより一層抑制することができる。
【００６１】
（第４、５変形例）前述した一実施形態の屈曲部１１２は、二つの平面部１１３ａ、１１３ｂを備えていたが、前述した実施形態に限定されるものではなく、例えば、図１０、図１１に示すように、一つの平面部１１３ｃからなる屈曲部４１２であってもよい。このような変形例は、前述した一実施形態では、第１の光透過出射部１２２ａと第２の光透過出射部１２２ｂが、同一平面であったが、本変形例では、第１の光透過出射部１２２ａを備えた内側表示領域Ｅ１の面１０ａと第２の光透過出射部１２２ｂを備えた外側表示領域Ｅ２の面１０ｂとが、同一平面である必要がなく、導光文字板１０の設計に自由度を与え、自由な造形を導光文字板１０に施すことが可能となる。
【００６２】
（第６変形例）本変形例の屈曲部５１２は、図１２で示すように、一つの曲面部５１３からなり、曲面部５１３と、第２の光透過出射部１２２ｂを備えた外側表示領域Ｅ２の面１０ｂと、の境界の接線５１４ａとの角度φ７が、導光部１１の屈折率をＮとし、低屈折率部１４ａ、１４ｂの屈折率をｎとしたときに、以下の式を満たすものである。
式：φ＞１８０°−２arcsin（ｎ／Ｎ）
【００６３】
本変形では、ケース体２０が、屈曲部５１２に倣った形状である。このように構成したことによって、導光文字板１０とケース体２０との接触面積を増やすことができ、導光文字板１０の変形や、この変形による振動を抑制することができる。
【００６４】
また、前記変形例では、第１の光透過出射部１２２ａでは、導光文字板１０の裏面側に透過部１２２を設けていたが、導光文字板１０の裏面側に透過部１２２を設けず、導光文字板１０の背面の前面を不透過部１２１とすることによって、導光文字板１０から光が漏れず、導光文字板１０とケース体２０との間を伝搬することを防止し、例えば、第２の光透過出射部１２２ｂの擬似点灯などを防止することができる。
【００６５】
また、導光文字板１０とケース体２０との間を、接着剤や粘着テープなどを設けてもよい。このような構成によって、導光文字板１０とケース体２０との間を伝搬することを抑制し、例えば、第２の光透過出射部１２２ｂの擬似点灯などをより一層抑制することができる。なお、この接着剤や粘着テープなどは、導光文字板１０とケース体２０との間に全面である必要はなく、適宜、有効な範囲のみとしても良い。
【００６６】
また、前記接着剤や粘着テープなどを黒色などの遮光性の高い色の部材とすることで、より一層、導光文字板１０とケース体２０との間を伝搬することを抑制し、例えば、第２の光透過出射部１２２ｂの擬似点灯などをより一層抑制することができる。
【００６７】
なお、前記実施形態や変形例では、低屈折率部１４ａ、１４ｂは、導光文字板１０の全面に設けられていたが、第１の光透過出射部１２２ａを設けた内側表示領域Ｅ１、あるいは、内側表示領域Ｅ１と屈曲部１１２、２１２、３１２、４１２、５１２との領域のみに低屈折部１４ａ、１４ｂを設けることによって、より一層、光の透過を制御し、所望の意匠である第１の光透過出射部１２２ａ以外の屈曲部で仕切られた第２の光透過出射部１２２ｂや他の第１の光透過出射部１２２ａの擬似点灯を防止しつつ、少ない光源で導光文字板１０の意匠を明るく光輝させることが可能となる。
【産業上の利用可能性】
【００６８】
本発明は、光源から出射された光を導光して意匠表示部等を照光する表示部材と、この表示部材を備えた表示装置に利用可能である。
【符号の説明】
【００６９】
１      表示装置
１０      導光文字板（表示部材）
１１      導光部
１２      意匠表示部
１３      光拡散部
１４ａ    表面低屈折率部
１４ｂ    背面低屈折率部
１５      保護部
２０      ケース体
２１      第１の仕切り部
２２      載置部
２５      第２の仕切り部
２７      表示器装着孔
２８      遮光壁
３０      導光体
３１      収納部
３２      文字板方向反射部
３３      指針方向射出部
３４      文字板方向射出部
３５      指針軸挿通部
４０      指針
４１      指示部
４２      指針基部
４３      指針キャップ
５０      回路基板
６１      第１の光源
６２      第２の光源
７０      本体
７１      指針軸
８０      表示器
１１１      指針軸挿通孔
１１１ａ    内壁入光部（入光部）
１１２      屈曲部
１１３ａ、１１３ｂ  平面部
１１４      屈曲部頂点
１２１      不透過部
１２２      透過部
１２２ａ    第１の光透過出射部
１２２ｂ    第２の光透過出射部
２１２      屈曲部
２１２ａ、２１２ｂ、２１２ｃ  曲面部
Ｔ      エンジン回転計
Ｓ      速度計
Ｆ      燃料残量計
【図１】
2015049103.tif 000003
【図２】
2015049103.tif 000004
【図３】
2015049103.tif 000005
【図４】
2015049103.tif 000006
【図５】
2015049103.tif 000007
【図６】
2015049103.tif 000008
【図７】
2015049103.tif 000009
【図８】
2015049103.tif 000010
【図９】
2015049103.tif 000011
【図１０】
2015049103.tif 000012
【図１１】
2015049103.tif 000013
【図１２】
2015049103.tif 000014
【図１３】
2015049103.tif 000015